(57)【要約】【課題】  凹部が板厚方向のほぼ半分程度の深さ寸法しかないタイプのカードであっても、筐体内の適切な位置に位置決めできるようにしたカードコネクタを提供すること。【解決手段】  カードＣ１が装着される収納空間内に位置決め機構６０が設けられている。位置決め機構６０は、弾性変形可能な弾性部６１と係合部６２，６２を有している。カードＣ１が上方から収納空間に装着されると、カードＣ１の裏面が弾性部６１をＺ２方向に押圧して変形させる。このとき、係合部６２，６２が内方に回動し、カードＣ１の側面に形成されている中間凹部８，８を係合する。これにより、カードＣ１を適切に位置決めすることができる。【選択図】図８
2009170247.tif 000002
【特許請求の範囲】
【請求項１】
幅方向の少なくとも一方の側面に、前記幅方向とは直交する板厚方向の表面から所定の深さ寸法で形成された凹部を有するカードが装着される筐体本体を備えたカードコネクタにおいて、
前記筐体本体には、前記凹部を保持する位置決め機構が設けられており、
前記位置決め機構は、弾性変形するとともに前記凹部に係合する係合部を有しており、前記係合部が前記凹部に係合することにより、前記カードの前記板厚方向への抜け止めと、前記幅方向および前記板厚方向と直交する方向である前後方向への位置決めとが行われることを特徴とするカードコネクタ。
【請求項２】
前記筐体本体に連結された蓋体とを有し、前記筐体本体には、上方に開口部を有する収納空間が形成されて、前記カードがその裏面を前記収納空間の底部に向けて装着可能とされ、前記蓋体は、前記筐体本体との間に支点を有して前記開口部から離れる開放姿勢と前記開口部を覆う閉鎖姿勢との間で回動可能であり、さらに前記蓋体は、前記閉鎖姿勢から前記支点が動く方向へ移動して前記開口部から離れないようにロックされるロック姿勢に設定可能であり、
前記カードが前記収納空間に装着されて前記係合部が前記凹部に係合した状態で、前記蓋体がロックされることにより、前記係合部と前記凹部との係合状態が維持される請求項１記載のカードコネクタ。
【請求項３】
前記位置決め機構は、板ばねからなる弾性部と、前記弾性部の先端に設けられた前記係合部とを有しており、前記筐体本体内に装着された前記カードの裏面側が前記係合部に当接することで、前記弾性部が退避する方向に変形させられて前記係合部が前記凹部に係合する請求項１または２記載のカードコネクタ。
【請求項４】
前記カードの幅方向の両縁部に一対の前記凹部が形成されており、前記弾性部の両端には前記凹部に対応する一対の前記係合部が形成されている請求項３記載のカードコネクタ。
【請求項５】
前記一対の係合部は、前記カードの両側面と対応する幅方向の外側に設けられており、
前記弾性部が変形する前は、前記一対の係合部の対向寸法は前記両側面間の幅寸法と同じか、それよりもわずかに広い寸法からなる第１の状態に設定されており、
前記カードの裏面が前記弾性部に当接して、前記弾性部が退避する方向に変形させられると、前記一対の係合部の対向寸法が前記両側面間の幅寸法よりも狭まる第２の状態に変形させられて、前記一対の係合部が前記一対の凹部にそれぞれ係合する請求項４記載のカードコネクタ。
【請求項６】
前記係合部は、前記カードの両側面と対応する筐体本体の両壁部に形成された欠損部に、弾性腕が埋設された状態でその先端に設けられた係止部が弾性変形自在となるように支持されており、
前記係止部は、板厚方向の中間部と上部との間に形成された上斜面と、前記中間部と下部との間に形成された下斜面とを有しており、
前記カードが上方より装着されるときに、前記カードの縁部が前記上斜面に当接して前記係合部がカードから離れる方向に移動させられることにより、前記カードの筐体本体への装着が可能となる請求項３記載のカードコネクタ。
【発明の詳細な説明】
【技術分野】
【０００１】
本発明は、小型で薄型のケース内にメモリチップなどの電子回路が収納されたカードが装着されるカードコネクタに係り、特に装填されたカードを筐体内に容易に位置決めできるようにしたカードコネクタに関する。
【背景技術】
【０００２】
デジタルカメラやデジタルビデオカメラ、またはパーソナルコンピュータなどには、メモリカードと称される小型で薄型の電子機能カードが装着されて使用される。この電子機能カードは、合成樹脂材料で形成された小型で薄型のケース（ハウジングと称されることもある）内に、メモリチップや、メモリコントローラなどとして機能するＩＣチップが収納されている。そして、ケースの裏面に、内部の電子回路に導通する複数の外部接続部が設けられている。
【０００３】
この電子機能カードはカードコネクタに装着されて使用され、カードコネクタには、前記電子機能カードに設けられた複数の外部接続部が個別に接触する複数の接続端子が設けられている。
【０００４】
前記カードコネクタとしては、筐体本体に開口するスリット状の挿入口へ向けて、電子機能カードをその表面および裏面と平行な向きで差し込むスロットインタイプと、以下の特許文献１および特許文献２などに記載されているように、電子機能カードを開放状態の蓋体に差し込んで、電子機能カードと共に蓋体を筐体本体に向けて閉じることで、電子機能カードを筐体本体に装着する開閉タイプとが知られている。開閉タイプは、スロットインタイプのように、筐体本体の内部にロック機構やカード排出機構を設けることが不要であるため、比較的簡単な構造で安価で且つ小型に構成することが可能である。
【０００５】
以下の特許文献１に記載された発明は、カードをベース部材に装填する際、カードの左右の両側面に形成されている凹部をベース部材の左右の位置決め突起上に位置合わせして該カードを下方（底板部側）へ押し込むと、各位置決め突起の傾斜ガイド面が凹部の下縁部に摺接し、カードを下方へ円滑に導いて各位置決め突起が各凹部内に嵌まり。これによりカードの位置決めが行われるというものである。
【０００６】
また以下の特許文献２に記載された発明は、可動シェル（開閉カバー）の左右の側壁に、それぞれ係合突起が内側へ弾性的に突設されている。カードを挿入口に挿入してから可動シェルを閉じると、係合突起がカードのロック用凹所に係合し、カードが可動シェルに保持されるというものである。このため、カードは可動シェルとともに移動させられるようになっている。
【特許文献１】特開２００６−１５６１０７号公報
【特許文献２】特開２００４−３１０４５７号公報
【発明の開示】
【発明が解決しようとする課題】
【０００７】
しかし、特許文献1および特許文献２に記載されたものでは、特許文献1の図１および特許文献２の図９に示されるようなカードの左右の側面に形成された係止凹部が板厚方向に貫通して形成されるタイプのカード以外を係止することは不可能であった。すなわち、凹部が板厚方向のほぼ半分程度の深さ寸法しかないタイプのカードについてはこれを保持することができないという問題があった。
【０００８】
また特許文献１および２に記載のものでは、開閉カバーを閉じなければカードを適切な位置に保持させることができないものであるため、開閉カバーを開いた状態ではカードの不安定な状態が継続されるという問題もあった。
【０００９】
本発明は、上記従来の課題を解決するものであり、凹部が板厚方向のほぼ半分程度の深さ寸法しかないタイプのカードであっても筐体内の適切な位置に位置決めできるようにしたカードコネクタを提供することを目的としている。
【課題を解決するための手段】
【００１０】
本発明は、幅方向の少なくとも一方の側面に、前記幅方向とは直交する板厚方向の表面から所定の深さ寸法で形成された凹部を有するカードが装着される筐体本体を備えたカードコネクタにおいて、
前記筐体本体には、前記凹部を保持する位置決め機構が設けられており、
前記位置決め機構は、弾性変形するとともに前記凹部に係合する係合部を有しており、前記係合部が前記凹部に係合することにより、前記カードの前記板厚方向への抜け止めと、前記幅方向および前記板厚方向と直交する方向である前後方向への位置決めとが行われることを特徴とするものである。
【００１１】
本発明のカードコネクタでは、凹部が板厚方向のほぼ半分程度の深さ寸法しかないタイプのカードであっても、カードの抜け止めと前後方向への位置決めを確実に行うことができる。
【００１２】
上記において、前記筐体本体に連結された蓋体とを有し、前記筐体本体には、上方に開口部を有する収納空間が形成されて、前記カードがその裏面を前記収納空間の底部に向けて装着可能とされ、前記蓋体は、前記筐体本体との間に支点を有して前記開口部から離れる開放姿勢と前記開口部を覆う閉鎖姿勢との間で回動可能であり、さらに前記蓋体は、前記閉鎖姿勢から前記支点が動く方向へ移動して前記開口部から離れないようにロックされるロック姿勢に設定可能であり、
前記カードが前記収納空間に装着されて前記係合部が前記凹部に係合した状態で、前記蓋体がロックされることにより、前記係合部と前記凹部との係合状態が維持されるものが好ましい。
【００１３】
上記手段では、蓋体によりカードの板厚方向への移動を制限することができるため、位置決め機構側の係合部とカード側の凹部との係合状態を安定させることができる。また前記係合部と前記凹部との係合状態が解除され難くなるため、カードの抜けを防止することができる。その結果、カードを確実に保持することが可能となる。
【００１４】
前記位置決め機構は、板ばねからなる弾性部と、前記弾性部の先端に設けられた前記係合部とを有しており、前記筐体本体内に装着された前記カードの裏面側が前記係合部に当接することで、前記弾性部が退避する方向に変形させられて前記係合部が凹部に係合するものが好ましい。
【００１５】
上記手段では、簡単な構成でカードの抜き差しを自在に行うことができる。しかも板ばねにより一体的に形成することができるため、部分点数を少なくできる。
【００１６】
また前記カードの幅方向の両縁部に一対の前記凹部が形成されており、前記弾性部の両端には前記凹部に対応する一対の前記係合部が形成されているものが好ましい。
【００１７】
上記手段では、カードの両側部を係合することができるため、カードの位置決めを確実に行うことができる。
【００１８】
さらに、前記一対の係合部は、前記カードの両側面と対応する幅方向の外側に設けられており、
前記弾性部が変形する前は、前記一対の係合部の対向寸法は前記両側面間の幅寸法と同じか、それよりもわずかに広い寸法からなる第１の状態に設定されており、
前記カードの裏面が前記弾性部に当接して、前記弾性部が退避する方向に変形させられると、前記一対の係合部の対向寸法が前記両側面間の幅寸法よりも狭まる第２の状態に変形させられて、前記一対の凹部に係合するものが好ましい。
【００１９】
上記構成では、カードの装着に応じて、弾性体が第１の状態と第２の状態に変形させられるため、カードの装着を簡単且つ確実に行うことが可能となる。
【００２０】
あるいは、前記係合部は、前記カードの両側面と対応する筐体本体の両壁部に形成された欠損部に、前記弾性部が埋設された状態でその先端に設けられた係止部が弾性変形自在となるように支持されており、
前記係止部は、板厚方向の中間部と上部との間に形成された上斜面と、前記中間部と下部との間に形成された下斜面とを有しており、
前記カードが上方より装着されるときに、前記カードの縁部が前記上斜面に当接して前記係合部がカードから離れる方向に移動させられることにより、前記カードの筐体本体への装着が可能となるものが好ましい。
上記手段によっても、簡単な構成で且つ確実にカードの位置決めを行うことができる。
【発明の効果】
【００２１】
本発明では、凹部が板厚方向のほぼ半分程度の深さ寸法しかないタイプのカードであっても、カードの抜け止めと前後方向への位置決めを行うことができる。
【００２２】
またカードの凹部を簡単な構成で係合する構成であるため、カードの位置決めを確実に行うことができる。
【発明を実施するための最良の形態】
【００２３】
図１は本発明の第１の実施の形態としてのカードコネクタを示す正面図、図２ないし４は、カードコネクタにカードを装着し蓋体をロック姿勢とするまでの過程を順に示す斜視図であり、図２は開放姿勢を示す斜視図、図３は閉鎖姿勢を示す斜視図、図４はロック姿勢に示す斜視図、図５Ａと図５Ｂはカードコネクタを表側から見た場合の断面斜視図であり、図５Ａはカード装着前の開放姿勢時における位置決め機構の動作を示す斜視図、図５Ｂはカード装着後の閉鎖姿勢時または開放姿勢における位置決め機構の動作を示す斜視図、図６Ａと図６Ｂはカードコネクタを裏側から見た場合の断面斜視図であり、図６Ａはカード装着前の開放姿勢時における位置決め機構の動作を示す斜視図、図６Ｂはカード装着後の閉鎖姿勢時または開放姿勢における位置決め機構の動作を示す斜視図である。なお、図５Ａ、図５Ｂ、図６Ａ、図６Ｂでは蓋体の図示を省略し、さらに図５Ｂではカードの図示も省略している。図７は蓋体およびカードも図示した場合におけるカードコネクタを表側から見た断面斜視図である。図８（Ａ）（Ｂ）は位置決め機構を示す斜視図であり、図８（Ａ）は変形前の第１の状態、図８（Ｂ）は変形後の第２の状態を示している。
【００２４】
図９は検知機構の構造を示す部分斜視図である。図１０Ａは第１のカードが装着されたときの検知機構の動作を示す右側面図、図１０Ｂは第２のカードが装着されたときの検知機構の動作を示す右側面図である。図１１（Ａ）（Ｂ）は蓋体に設けられたロック板ばねの動作を説明するために左側面図である。
【００２５】
図１２ないし図１４は本発明の第２の実施の形態としてのカードコネクタを示している。図１２はカードコネクタを示す斜視図、図１３は第２の実施の形態に示すカードコネクタの平面図、図１４はカードを装着した直後の状態を示すカードコネクタの平面図、図１５はカード装着後の図１３のＸＶ−ＸＶ線における断面図であるとともに閉鎖姿勢時または開放姿勢における位置決め機構の動作を示すカードコネクタの部分断面図である。
【００２６】
図１６以下には、第１に実施に形態および第２の実施の形態に示すカードコネクタ内に装着されるカードが示されている。図１６は第１のカードＣ１の平面図、図１７は第１のカードＣ１の左側面図、図１８は第１のカードＣ１を斜め下側から示す斜視図である。図１９は第２のカードＣ２の平面図である。
【００２７】
（第１のカードの形状）
図１６ないし図１８に示される第１のカードＣ１は、いわゆるマルチメディアカードなどのメモリデバイスとして使用されるものである。第１のカードＣ１は、プラスチック製のケース（ハウジング）１を有しており、このケース１内に、フラッシュメモリなどのメモリチップや、メモリコントローラとして機能するＩＣチップなどが収納されている。
【００２８】
図１７に示すように、ケース１は、表面１ａと裏面１ｂを有している。表面１ａと裏面１ｂは互いに平行な平面であり、表面１ａと裏面１ｂの間隔が第１のカードＣ１の厚み寸法Ｔである。図１８に示すように、裏面１ｂの前方には、複数個（１３個）の外部接続部５が露出している。外部接続部５の表面はケース１の裏面１ｂとほぼ同一面である。
【００２９】
ここで、「表面」と「裏面」とは外部接続部５を有する面と有しない面を識別するための便宜上の名称であり、カードコネクタ２０（２０Ａおよび２０Ｂ）に対し、表面１ａを上向きにして装着してもよいし、裏面１ｂを上向きにして装着してもよい。
【００３０】
図１６ないし図１８に示すように、ケース１は前端部１ｃと、後端部１ｄを有している。また右側部１ｅと左側部１ｆを有している。
【００３１】
図１７に示すように、前端部１ｃは、表面１ａと垂直な平面であり、表面１ａと裏面１ｂとの角部には前方傾斜面２が形成されている。後端部１ｄは、表面１ａおよび裏面１ｂに垂直な平面である。右側部１ｅと左側部１ｆは、表面１ａおよび裏面１ｂと垂直な平面である。図１２に示すように、前端部１ｃと右側部１ｅとの境界部および前端部１ｃと左側部１ｆとの境界部、すなわち前端部１ｃの左右両側部には、円筒面の一部である前方コーナー曲面３，３が形成されている。後端部１ｄと右側部１ｅとの境界部および後端部１ｄと左側部１ｆとの境界部、すなわち後端部１ｄの左右両側部にも、円筒面の一部である後方コーナー曲面４，４が形成されている。
【００３２】
図１６に示すように、ケース１を表面１ａ側から見た平面図では、ケース１の形状は前後に延びる中心線Ｏ−Ｏを介して左右に対称の形状である。
【００３３】
ケース１の前方部分では、右側部１ｅと左側部１ｆから中心線Ｏ−Ｏに向けて窪む識別溝６，６が形成されている。識別溝６，６は、右側部１ｅおよび左側部１ｆと平行で且つ右側部１ｅおよび左側部１ｆから中心線Ｏ−Ｏに向けて距離Ｗ１だけ内側に位置する内側面６ａ，６ａと、裏面１ｂと平行な内底面６ｃ，６ｃとを有している。そして、右側の識別溝６の後端部と右側部１ｅとの間、および左側の識別溝６の後端部と左側部１ｆとの間には、それぞれ傾斜部６ｂ，６ｂが形成されている。傾斜部６ｂ，６ｂは、後方に向かうにしたがって中心線Ｏ−Ｏから徐々に離れる面であり、傾斜部６ｂ，６ｂは平面または所定の曲率を有する曲面である。
【００３４】
図１７に示すように、識別溝６，６は、ケース１の表面１ａから裏面１ｂに向けて窪んでいる。ケース１の表面１ａから識別溝６の内底面６ｃまでの距離、すなわち識別溝６，６の表面１ａから裏面１ｂに向けた深さ寸法ｔ１は、第１のカードＣ１の全体の厚み寸法Ｔのほぼ１／２である。また、前記識別溝６，６が表面１ａから窪んで形成された結果、それよりも裏面側には、裏面１ｂと前記内底面６ｃ，６ｃとで挟まれた部分である薄肉部７，７が形成されている。この薄肉部７，７の厚さ寸法ｔ２も、第１のカードＣ１の全体の厚み寸法Ｔのほぼ１／２である。
【００３５】
識別溝６，６は、前端部１ｃの左右両側部にて前方に開放されている。よって、図１８に示すように、前端部１ｃの厚さ寸法は、その中央のほとんどの部分がＴであるが、両側部においては、厚さ寸法はｔ２である。図１６に示すように、識別溝６，６の前後の長さ寸法Ｌ１は、ケース１の前端部１ｃから、傾斜部６ｂ，６ｂの後端部までの距離である。
【００３６】
傾斜部６ｂ，６ｂは、識別溝６，６とケース１の表面１ａとの間に段差部を形成しており、この段差部が、第１のカードＣ１を識別するための識別部として機能している。
【００３７】
ケース１の右側部１ｅと左側部１ｆでは、識別溝６，６の後端部よりも後方へ距離Ｌ２だけ空けた位置に、中間凹部８，８が形成されている。中間凹部８，８の前後方向の長さ寸法Ｌ３は、前記識別溝６，６の前後方向の長さ寸法Ｌ１よりも短い。
【００３８】
中間凹部８，８は、右側部１ｅおよび左側部１ｆよりも中心線Ｏ−Ｏ側に位置し且つ右側部１ｅおよび左側部１ｆと平行な内側端８ａ，８ａを有している。右側部１ｅから内側端８ａまでの幅寸法ならびに左側部１ｆから内側端８ａまでの幅寸法Ｗ２は、前記識別溝６，６の幅寸法Ｗ１とほぼ同じである。
【００３９】
中間凹部８，８は前内端８ｂと後内端８ｃを有しており、前内端８ｂと後内端８ｃとの間の前後の間隔が、中間凹部８，８の長さ寸法Ｌ３である。
【００４０】
図１７と図１８に示すように、中間凹部８，８は内底端８ｄ，８ｄを有しており、この内底端８ｄ，８ｄは、裏面１ｂと平行である。表面１ａから内底端８ｄ，８ｄまでの寸法が、中間凹部８，８の深さ寸法ｔ３であり、この深さ寸法ｔ３は、前記識別溝６の深さ寸法ｔ１よりも大きい。
【００４１】
図１６に示すように、ケース１の後端部１ｄよりも少し内側には、表面１ａから窪む摘み凹部９が形成されている。
【００４２】
（第２のカードの形状）
図１９は、第２のカードＣ２を示す図１６と同じ平面図である。
【００４３】
第２のカードＣ２はケース１１を有しており、このケース１１内に、メモリチップやその他のＩＣチップなどが収納されている。
【００４４】
第２のカードＣ２のケース１１に形成された識別溝１６は、第１のカードＣ１の識別溝６よりも長いが、これ以外の形状について、第１のカードＣ１と第２のカードＣ２は、全てにおいて同じである。すなわち、第２のカードＣ２のケース１１の厚み寸法Ｔと幅寸法Ｗ０および長さ寸法は、第１のカードＣ１のケース１と同じである。第２のカードＣ２のケース１１に形成されている中間凹部８，８の形状と寸法および位置は、第１のカードＣ１のケース１と同じである。その他、図１９では、第１のカードＣ１のケース１と同じ部分には同じ符号を付してその詳しい説明を省略する。
【００４５】
図１９に示す第２のカードＣ２では、前方の左右両側に識別溝１６，１６が形成されている。この識別溝１６，１６には、中心線Ｏ−Ｏに近づく位置に内側面１６ａが形成されている。内側面１６ａの位置、すなわち識別溝１６，１６の幅寸法Ｗ１は、図１６に示すケース１の識別溝６，６の幅寸法Ｗ１と同じである。またケース１１の表面１ａから、内底面１６ｃまでの寸法、すなわち識別溝１６，１６の深さ寸法は、図１７に示すケース１の識別溝６，６の深さ寸法ｔ１と同じである。第２のカードＣ２のケース１１には、識別溝６，６よりも裏面側に薄肉部１７，１７が設けられているが、この薄肉部１７，１７の幅寸法および厚み寸法も、第１のカードＣ１の薄肉部７，７の厚さ寸法ｔ２と同じである。
【００４６】
ただし、図１９に示すケース１１の識別溝１６，１６および薄肉部１７，１７の長さ寸法Ｌ１１、すなわち前端部１ｃから傾斜部１６ｂの後端までの長さ寸法Ｌ１１は、図１６に示すケース１の識別溝６，６および薄肉部７，７の長さ寸法Ｌ１よりも長い。よって、第２のカードＣ２では、識別部として機能する段差部である傾斜部１６ｂ，１６ｂが、第１のカードＣ１での傾斜部６ｂ，６ｂよりも後端部１ｄ側に離れた位置にある。
【００４７】
第２のカードＣ２のケース１１に形成されている中間凹部８，８の長さ寸法Ｌ３は、ケース１の中間凹部８，８の長さ寸法Ｌ３と同じである。また、図１９に示す長さ寸法Ｌ１１＋Ｌ１２は、図１６に示す長さ寸法Ｌ１＋Ｌ２と同じである。
【００４８】
第２のカードＣ２のケース１１の裏面１ｂに現れている外部接続部の数および位置ならびに形状は、図１８に示す第１のカードＣ１のケース１の裏面１ｂに現れている外部接続部５と全く同じである。
【００４９】
第１のカードＣ１と第２のカードＣ２では、識別溝６，１６および薄肉部７，１７の長さ寸法Ｌ１，Ｌ１１が相違しているため、カードコネクタ２０ではこの相違を検知することで、いずれのカードが装着されたかを認識できる。
【００５０】
第１のカードＣ１と第２のカードＣ２の仕様の違いは、例えば、駆動電圧の違い、すなわち、電源用の外部接続部を介してケース１，１１内の回路に供給すべき電圧の違いである。または、前記仕様の相違は、ケース１，１１の内部に収納されているメモリチップのメモリ容量の違いである。あるいは、第１のカードＣ１と第２のカードＣ２のいずれか一方は、容量の大きいメモリチップを有して、主にデータの記憶に使用され、他方は、所定のプログラムを内蔵した読み取り専用メモリが内蔵されて、制御プログラムを供給する用途として使用される。
【００５１】
図１６と図１９に示すように、第１のカードＣ１のケース１と第２のカードＣ２のケース１１は、いずれも中心線Ｏ−Ｏに対して左右対称形状であり、全体の平面形状が長方形である。そのため、ケース１，１１の内部のスペースを有効的に広く使用することができ、小型で且つ薄型でありながら、内部のＩＣチップやその他の回路を集積して配置することが可能である。
【００５２】
しかも、識別溝６，１６と、中間凹部８が、ケース１，１１の表面１ａ側からのみ窪んでいるため、ケースの表裏を見分けやすい。また、識別溝６，１６が、左右両側部１ｅ，１ｆにおいて、前方の領域に形成されているため、ケースの前後も区別しやすい。そのため、カードコネクタ２０に向けて誤った向きで挿入されるのを防止しやすい。
【００５３】
（第１の実施の形態におけるカードコネクタの構造）
次に、第１のカードＣ１と第２のカードＣ２が共に装着される第１の実施の形態におけるカードコネクタ２０Ａの構造を説明する。
【００５４】
図１および図４に示すように、第１の実施の形態として示すカードコネクタ２０Ａは筐体本体２１を有している。筐体本体２１は合成樹脂製であり、長方形の略枠体形状である。カードコネクタ２０および筐体本体２１の向きは、Ｙ１方向が前方でＹ２方向が後方、Ｘ１方向が右方向でＸ２方向が左方向である。
【００５５】
筐体本体２１は、Ｙ１側の前側板２２、Ｘ１側の右側板２５とＸ２側の左側板２４を有し、さらに底板２６が一体に形成されている。前側板２２に対向するＹ２側の部分、すなわち右側板２５のＹ２側の端部と左側板２４のＹ２側の端部とに挟まれる部分には開放部２３が形成されている。
【００５６】
底板２６の前方と後方の２箇所には、底部を上下に貫通する窓部２７，２８が形成されている。筐体本体２１には、前側板２２と開放部２３および右側板２５と左側板２４、さらに底板２６で囲まれた収納空間３０が形成されている。収納空間３０は上方に向けて開口する開口部を有している。
【００５７】
右側板２５と左側板２４のＸ方向での横（Ｘ）方向の内幅寸法は、図１６に示す第１のカードＣ１と図１９に示す第２のカードＣ２の幅寸法Ｗ０よりも少しだけ大きな寸法で形成されており、右側板２５のＹ２側の端部と左側板２４のＹ２側の端部とに挟まれる部分（開放部２３）と前側板２２との間の縦（Ｙ）方向の内幅寸法は、第１のカードＣ１と第２のカードＣ２の縦寸法よりもわずかに大きい寸法で形成されている。また、底板２６の上面から、前側板２２と右側板２５と左側板２４の上縁までの内高さ寸法は、第１のカードＣ１と第２のカードＣ２の厚さ寸法Ｔとほぼ同じである。
【００５８】
すなわち、筐体本体２１に形成された収納空間３０の容積は、第１のカードＣ１と第２のカードＣ２の体積よりもわずかに大きい程度であり、収納空間３０の形状および大きさは、第１のカードＣ１と第２のカードＣ２の平面形状および平面積よりもわずかに大きい程度である。
【００５９】
底板２６には、複数の接続端子３１と複数の引出し端子３２が設けられている。個々の接続端子３１と引出し端子３２は一対一で連続しており、リン青銅板などのばね性を発揮できる金属板の表面に金メッキなどが施されて形成されている。それぞれの接続端子３１と引出し端子３２は互いに連続した状態で、底板２６の内部にインサートされている。
【００６０】
接続端子３１は、前方の窓部２７の内部に向けて延びている。それぞれの接続端子３１の先部には上向きに山折りされた接触部３１ａが形成されている。接続端子３１は、接触部３１ａが底板２６の上面のよりも上方に位置するように、やや斜め上方に向けて延びている。また、引出し端子３２は、後方の窓部２８内に延び、その先の接続部３２ａは、窓部２８からやや下向きに延びている。このカードコネクタ２０が、各種電子機器に実装されるときは、個々の引出し端子３２の前記接続部３２ａが、回路基板に形成されたランドパターンに設置され、リフロー工程などによって半田付けされる。
【００６１】
図１および図２に示すように、筐体本体２１には、左側板２４の一部が外側（Ｘ２方向）へ一体に突出して形成された収納凸部３５が設けられている。収納凸部３５の内部には機構凹部３６が形成され、この機構凹部３６内に検知機構４０が設けられている。
【００６２】
図２，図５Ａないし図７に示すように、窓部２８内には位置決め機構６０が設けられている。図８（Ａ）に示すように、位置決め機構６０は、Ｘ方向に延びるとともに、カードが装着されていない状態で図示上方（Ｚ１方向）へ向けて凸型アーチ状（第１の状態）となるように、金属製の板ばねを塑性加工して形成した弾性部６１を有している。弾性部６１の両端には、係合部６２，６２と、第１の案内部６３，６３が形成され、凸型アーチ状の弾性部６１のＸ方向の両端には、Ｙ２に延びる第２の案内部６４，６４が形成されている。弾性部６１、係合部６２，６２、第１の案内部６３，６３および第２の案内部６４，６４は、ばね性の高い金属材料をプレス加工および折り曲げ加工することにより一体的に形成されている。
【００６３】
係合部６２は、板厚（Ｚ）方向の中間部がそのＺ１側の上端部およびＺ２側の下端部よりも内側に向かって突出形成されており、中間部と上端部との間が上斜面６２ａであり、中間部と下端部との間が下斜面６２ｂである。係合部６２，６２のＹ方向の長さ寸法は、第１のカードＣ１に形成されている中間凹部８，８のＹ方向の長さ寸法と同じか、それよりもわずかに狭い寸法で形成されている。
【００６４】
第１の案内部６３，６３は、弾性部６１の両端からそれぞれＸ１方向およびＸ２方向に延び、弾性部６１に対して図示下方に断面クランク形状に折り曲げられている。第２の案内部６４，６４はともにＹ２方向に延びており、弾性部６１に対して図示下方に断面クランク形状に折り曲げられている。
【００６５】
図８（Ａ）に示す弾性部６１の上面から係合部６２，６２の下斜面６２ｂ，６２ｂまでの板厚方向の寸法ｈは、第１のカードＣ１および第２のカードＣ２のケースの厚み寸法Ｔと同じか、それよりもわずかに大きい。またＸ方向の左右において対峙する係合部６２と係合部６２との対向寸法ＬＬ１は、図５Ａに示すカード未装着のときには第１のカードＣ１および第２のカードＣ２の幅寸法Ｗ０よりも広いが、図５Ｂに示すカード装着後の対向寸法ＬＬ１’は、位置決め機構６０が変形して第１のカードＣ１および第２のカードＣ２の幅寸法Ｗ０よりも狭くなる。
【００６６】
図２，図５Ａないし図６Ｂに示すように、収納空間３０の底部で且つ窓部２８を形成する底部２６のＹ２方向の縁部には、凹状に切り欠かれて形成された退避部２８ａ，２８ａが設けられている。また図６Ａおよび図６Ｂに示すように、筐体本体２１の裏面側で且つ窓部２８を形成する底部２６のＸ１方向およびＸ２方向の縁部には、その一部を凹状に形成して成る案内凹部２８ｂ，２８ｂが形成されている。
【００６７】
位置決め機構６０は、前記弾性部６１が凸型アーチ状からなる第１の状態で筐体本体２１の収納空間３０内に配置されており、前記弾性部６１から延びる第１の案内部６３，６３だけが窓部２８を通じて筐体本体２１の裏面側の案内凹部２８ｂ，２８ｂにそれぞれ挿入されている。この状態では、図５Ａに示すように、傾斜姿勢にある第２の案内部６４，６４の外側の下端が、窓部２８の上部位置において退避部２８ａ，２８ａにそれぞれ対向している。
【００６８】
さらに係合部６２，６２の先端が、カードコネクタ２０の右側板２５の第１の掛止凹部２５ａの後方（Ｙ２側）に形成された退避凹部２５ｄ内、および左側板２４に形成された退避凹部２４ｄ内にそれぞれ対向配置されている。
【００６９】
位置決め機構６０の左右（Ｘ方向の両側）の第１の案内部６３と第１の案内部６３との間隔寸法ＬＬ２（図８（Ａ）参照）は、図６Ａに示す左右の案内凹部２８ｂと案内凹部２８ｂとの中央側の前端間の寸法ＷＷ１よりも大きく、案内凹部２８ｂと案内凹部２８ｂの側方の後端間の寸法ＷＷ２よりも狭い。このため、弾性部６１を図示下方に押圧すると、第１の案内部６３と第１の案内部６３との間隔寸法ＬＬ２が広がるため、位置決め機構６０は図８（Ａ）に示す凸型アーチ形状（第１の状態）から図８（Ｂ）に示す直線形状（第２の状態）に変形する。またこの状態から、弾性部６１に対する押圧を解除すると、第１の案内部６３と第１の案内部６３との間隔寸法ＬＬ２が縮まるため、位置決め機構６０は図８（Ｂ）に示す直線形状（第２の状態）から図８（Ａ）に示す凸型アーチ形状（第１の状態）に変形する。このとき、左右の第１の案内部６３，６３は、対応する左右の案内凹部２８ｂ，２８ｂ内をそれぞれＸ１方向およびＸ２方向に移動する。このように、位置決め機構６０が幅方向の左右に変形するときには、第１の案内部６３，６３は案内凹部２８ｂ，２８ｂにガイドされるため、変形動作を安定させることができる。
【００７０】
また位置決め機構６０が図８（Ａ）に示すと凸型アーチ形状から図８（Ｂ）に示す直線形状（第２の状態）に変形するときには、第２の案内部６４，６４の下端側が退避部２８ａ，２８ａに入り込む。
【００７１】
退避部２８ａ，２８ａには、中心から外方向に向かって徐々に下がる傾斜面が形成されている。このため、傾斜姿勢にある第２の案内部６４，６４の外側の下端から退避部２８ａ，２８ａに入り込み、位置決め機構６０が図８（Ｂ）に示す直線形状（第２の状態）に至ると、第２の案内部６４，６４の外側の上端が、退避部２８ａ，２８ａを形成する傾斜の下面に当接する。これにより、位置決め機構６０が直線形状（第２の状態）に変形しても、必要以上に幅方向（Ｘ１およびＸ２方向）に位置ずれすることを防止できる。
【００７２】
さらに、位置決め機構６０が図８（Ａ）に示す凸型アーチ形状から図８（Ｂ）に示す直線形状（第２の状態）に変形すると、底板２６に対して傾斜姿勢にあった係合部６２，６２が垂直姿勢となり、左右の係合部６２，６２間の対向寸法がＬＬ１からＬＬ１’に狭まる。
【００７３】
図９、図１０Ａ、図１０Ｂには、検知機構４０の構造が示されている。検知機構４０には可動検知部材４１が設けられている。可動検知部材４１は、合成樹脂製であり絶縁体である。可動検知部材４１には、後方（Ｙ２方向）へ突出する細幅のリブ４１ａが一体に形成されている。図３などに示すように、筐体本体２１に設けられた機構凹部３６の後方（Ｙ２方向）には、横幅寸法が狭くなったガイド部３６ａが形成されている。前記リブ４１ａが前記ガイド部３６ａ内に摺動自在に挿通されて、可動検知部材４１の横方向（Ｘ方向）でのがたつきが防止されている。
【００７４】
図９に示すように、可動検知部材４１には右方向（Ｘ１方向）へ突出する一対の摺動突起４１ｂ，４１ｂが一体に形成されている。図２ないし図４に示すように、前記収納凸部３５には、前後方向（Ｙ方向）に間隔を空けて上下方向に延びる一対の案内長穴３５ａ，３５ａが形成されており、前記摺動突起４１ｂ，４１ｂは、それぞれ前記案内長穴３５ａ，３５ａ内に挿入されている。よって、可動検知部材４１は前後方向（Ｙ方向）へ大きくがたつくことなく、上下方向へ移動自在に支持されている。
【００７５】
図９に示すように、可動検知部材４１には、保持軸部４１ｃが一体に形成されており、この保持軸部４１ｃの外周に、輪状の保持凹部４１ｄが形成されている。可動検知部材４１には、トーションばね４２が設けられている。トーションばね４２は導電性の金属線で形成され、その表面に金などの低抵抗金属層がメッキされている。トーションばね４２の巻き部４２ａは、保持軸部４１ｃの外周の保持凹部４１ｄ内に装着されている。トーションばね４２のそれぞれの腕部は、弾性可動接点４２ｂと弾性可動接点４２ｃとなっており、弾性可動接点４２ｂの先端と弾性可動接点４２ｃの先端で、トーションばね４２を形成する線材がＶ状に折り曲げられている。
【００７６】
筐体本体２１に形成されている前記機構凹部３６の底面には、一対の固定接点４３と固定接点４４が設けられている。固定接点４３と固定接点４４は、金属板であり、その表面には、金などの低抵抗金属層がメッキで形成されている。固定接点４３と固定接点４４は、機構凹部３６の合成樹脂製の底面の内部に埋め込まれており、固定接点４３の表面と固定接点４４の表面は、機構凹部３６の底面と同一面に現れている。そのため、固定接点４３および固定接点４４と、合成樹脂製の前記底面との間にほとんど段差が現れていない。
【００７７】
前記弾性可動接点４２ｂ，４２ｃは可動検知部材４１を常に上方へ付勢する付勢部材として機能している。図１０Ｂに示すように、可動接点部材４１が下向きに押し下げられているときに、弾性可動接点４２ｂが固定接点４３に接触し、弾性可動接点４２ｃが固定接点４４に接触して、トーションばね４２を介して、固定接点４３と固定接点４４とが導通させられる。図１０Ａに示すように、弾性可動接点４２ｂと弾性可動接点４２ｃの弾性力によって可動検知部材４１が持ち上げられると、弾性可動接点４２ｃが固定接点４４から離れ、固定接点４３と固定接点４４とが非導通状態となる。
【００７８】
前記可動検知部材４１の上面は、後方（Ｙ２方向）の部分が逃げ面４５ａで、前方（Ｙ１方向）の部分が押圧面４５ｂとなっている。押圧面４５ｂは逃げ面４５ａよりも上方へ突出している。
【００７９】
図１および図２などに示すように、筐体本体２１には蓋体５０が連結されている。蓋体５０は、金属板で折り曲げ形成されている。
【００８０】
蓋体５０には天井板５１が設けられている。天井板５１が、図３に示す閉鎖姿勢および図４に示すロック姿勢になると、前記筐体本体２１の収納空間３０の開口部が前記天井板５１で覆われる。
【００８１】
蓋体５０の右側部には、天井板５１から直角に折り曲げられた金属板によって右側板５２が形成され、蓋体５０の左側部には、天井板５１から直角に折り曲げられた金属板によって左側板５３が形成されている。右側板５２からは支持腕部５４が一体に延び、左側板５３からは支持腕部５５が一体に延びている。図２に示すように、支持腕部５５の基端部にも同様にＸ１方向へ突出する支点軸５５ａが一体に隆起形成されている。同様に、支持腕部５４の基端部にもＸ２方向へ突出する支点軸５４ａが一体に隆起形成されている（図示せず）。
【００８２】
図５Ａに示すように、筐体本体２１の右側板２５の外面には、その後方（Ｙ２方向）部分に、軸支持部３８が形成されている。この軸支持部３８は右側板２５の外面からＸ１方向へ向けて凸状に形成されており、この軸支持部３８には前後方向（Ｙ方向）に延びる支持長穴３８ａが形成されている。同様に、図２に示すように、筐体本体２１の左側板２４の外面では、前記軸支持部３８と対称な位置に軸支持部３９が形成されている。この軸支持部３９はＸ２方向へ向けて凸状に形成されており、且つ前後方向に延びる支持長穴３９ａを有している。
【００８３】
前記支持腕部５４の基端部に設けられた支点軸５４ａは、軸支持部３８に形成された支持長穴３８ａ内に回動自在で且つ前後方向（Ｙ方向）へ摺動自在に挿入されている。同様に、支持腕部５５の基端部に設けられた支点軸５５ａは、軸支持部３９に形成された支持長穴３９ａ内に回動自在で、且つ前後方向へ摺動自在に挿入されている。
【００８４】
蓋体５０の先部では、右側部と左側部の双方に掛止部５６，５６が直角に折り曲げられており、それぞれの掛止部５６，５６には、先方へ突出するフック部５６ａ，５６ａが一体に設けられている。一方、筐体本体２１の右側板２５の前方の外面にはロック凸部３７が突出し、同様に左側板２４の前方の外面にロック凸部３７が一体に形成されている。ロック凸部３７，３７は、右側板２５と左側面２５の表面から突出する金属板で形成されている。
【００８５】
図３に示すように、蓋体５０が筐体本体２１の収納空間３０の開口部を覆う閉鎖姿勢へ回動した後に、蓋体５０を前方（Ｙ１方向）へスライドさせると、支点軸５４ａ，５５ａが支持長穴３８ａ，３９ａ内を前方（Ｙ１方向）へ動いて、図４に示すように、前記フック部５６ａ，５６ａが、ロック凸部３７，３７の下側へ入り込んで蓋体５０がロック姿勢となる。このロック姿勢で、蓋体５０が筐体本体２１から離れる方向へ回動しないようにロックされる。
【００８６】
図１などに示すように、蓋体５０の右側部に折り曲げられた右側板５２からは前方へ延びるロック板ばね５７が一体に形成されており、ロック板ばね５７の先部には、Ｘ２方向に向けて山形に折られた掛止部５７ａが形成されている。図２および図７に示すように、筐体本体２１の右側板２５には、後方（Ｙ２方向）に位置する第１の掛止凹部２５ａと摺動壁部２５ｂおよび前方（Ｙ１方向）に位置する第２の掛止凹部２５ｃが形成されている。
【００８７】
図３に示すように、蓋体５０が閉鎖姿勢に閉じられた時点では、図１１（Ａ）に示すように、ロック板ばね５７の先部に形成された前記掛止部５７ａが、前記第１の掛止凹部２５ａの内部に入り込む。図４に示すように、閉鎖姿勢の蓋体５０を前方のロック姿勢へ向けて移動させると、この間に前記掛止部５７ａが前記摺動壁部２５ｂの外面を摺動し、図１１（Ｂ）に示すように、蓋体５０がロック姿勢になると、掛止部５７ａが摺動壁部２５ｂを乗り越えて前記第２の掛止凹部２５ｃ内に嵌合する。よって、蓋体５０は、ロック姿勢において軽くロックされ、ロック姿勢の蓋体５０が不用意に基部側であるＹ２側へ戻るのを防止できる。
【００８８】
図１ないし図４に示すように、蓋体５０の右側部には検知板ばね５８が設けられている。この検知板ばね５８は、蓋体５０を構成する金属板の一部で一体に形成されており、弾性変形可能である。
【００８９】
検知板ばね５８には、先方に向けて延びる弾性腕部５８ａと、その先部において筐体本体２１に向けて山折りに形成された識別摺動部５８ｂと、この識別摺動部５８ｂの先部に延びる押圧作用部５８ｃとが一体に形成されている。
【００９０】
図１ないし図４などに示すように、外力が作用していないときに、弾性腕部５８ａは、天井板５１と同一平面に形成されて、所定の幅寸法でＹ１方向へ直線的に延びている。また、前記識別摺動部５８ｂは、天井板５１よりも筐体本体２１の方向へ突出しており、押圧作用部５８ｃは天井板５１とほぼ同一面上に位置している。
【００９１】
図３に示すように、蓋体５０が閉鎖姿勢に回動したときには、弾性腕部５８ａと識別摺動部５８ｂが、筐体本体２１の機構凹部３６の真上に対向している。ただし、押圧作用部５８ｃは、弾性腕部５８ａと識別摺動部５８ｂよりも右方向（Ｘ１方向）へ突出しており、押圧作用部５８ｃの一部が、機構凹部３６内の可動検知部材４１の上に対向できるようになっている。
【００９２】
（カードコネクタへのカードの装着動作）
次に、前記第１の実施の形態に示すカードコネクタ２０へのカードの装着動作を説明する。
【００９３】
図２ないし図４は、カードコネクタ２０に第１のカードＣ１を装着する際の動作を示している。
【００９４】
図１および図２に示すように、蓋体５０を筐体本体２１に対して９０度以上となる開き角度となる開放姿勢に回動させた状態で、筐体本体２１の収納空間３０内に第１のカードＣ１を装着する。第１のカードＣ１は、その裏面１ｂが筐体本体２１の底板２６に向けられ、且つ前端部１ｃが前側板２２に向けられた姿勢で収納空間３０内に装着される。第１のカードＣ１が正常な姿勢で装着されると、第１のカードＣ１の裏面１ｂに設けられた複数の外部接続部５の各々が、筐体本体２１の収納空間３０内に設けられた接続端子３１に接触する。
【００９５】
ただし、図４に示すように、蓋体５０がロック姿勢となるまでは、第１のカードＣ１に設けられた外部接続部５は、筐体本体２１に設けられた接続端子３１に確実に強く押し付けられていないため、外部接続部５と接続端子３１の接触状態は不安定である。
【００９６】
このとき、第１のカードＣ１の中間凹部８，８は、収納空間３０を挟んでＸ方向の左右に対峙する係合部６２，６２に向き合う状態でそれぞれ図示Ｚ２方向に通り抜ける。そして、第１のカードＣ１の裏面１ｂが、位置決め機構６０の凸型アーチ状（第１の状態）に形成された弾性部６１の頂点に当接する。
【００９７】
蓋体５０を図２に示す開放姿勢から図３に示す閉鎖姿勢に回動させると、蓋体５０の天井面５１が、第１のカードＣ１の表面１ａを下方に押圧する。その結果、第１のカードＣ１がＺ１方向に押し下げられ、第１のカードＣ１の裏面１ｂが弾性部６１の頂点を押下するため、図５Ｂ、図６Ｂおよび図７に示すように弾性部６１が直線形状（第２の状態）に変形させられる。
【００９８】
すると、弾性部６１の左右の両端に向けられた係合部６２，６２間の対向距離が狭められ、第１のカードＣ１の左右の中間凹部８，８にそれぞれ入り込んでこれを両側方向から係合する。係合部６２，６２のＹ方向の寸法は、第１のカードＣ１に形成されている中間凹部８，８のＹ方向の寸法と同じ寸法か、それよりもわずかに狭い寸法で形成されているため、第１のカードＣ１を前後方向（Ｙ方向）へ位置決めすることができる。
【００９９】
このとき、係合部６２，６２に形成されている下斜面６２ｂ，６２ｂが中間凹部８，８を図示下方に押圧するようにすると、第１のカードＣ１を板厚方向に位置決めすることができる。また押圧しない場合であっても、係合部６２，６２は中間凹部８，８の上方の位置に対向配置されるため、第１のカードＣ１が板厚方向の上方に移動すると、中間凹部８，８が係合部６２，６２の下斜面６２ｂ，６２ｂに当接するようになる。このため、第１のカードＣ１が筐体本体２１内の収納空間３０から板厚方向の上方に容易に離脱できなくなる。
【０１００】
すなわち、上記位置決め機構６０では、第１のカードＣ１をカードコネクタ２０内の適切な位置に位置決めすることが可能であるとともに、第１のカードＣ１が筐体本体２１内の収納空間３０から抜け出るのを防止すること（抜け止め防止）ができる。
【０１０１】
さらに、閉鎖姿勢に回動させた蓋体５０を前方（Ｙ１方向）へスライドさせると、蓋体５０に設けられた支点軸５４ａ，５５ａが筐体本体２１に形成された支持長穴３８ａ，３９ａ内を前方（Ｙ１方向）へ移動する。その結果、図４に示すように、蓋体５０に設けられたフック部５６ａ，５６ａが筐体本体２１に両側部に設けられたロック凸部３７，３７の下側に入り込んで、蓋体５０が開放しないようにロックされる。このとき図４に示すように、蓋体５０の左側部に設けられたロック板ばね５７の先部の掛止部５７ａが、筐体本体２１の左側板２４に形成された第２の掛止凹部２５ｃと嵌合し、蓋体５０が後方（Ｙ２方向）へ容易に移動しないように、すなわち、フック部５６ａ，５６ａがロック凸部３７，３７から容易に外れないように軽くロックされる。
【０１０２】
このように、蓋体５０を閉鎖姿勢からロック姿勢に設定すると、蓋体５０が筐体本体２１の上方に設けられた開口部から離れる開放姿勢に戻ることがなく、位置決め機構６０の弾性部６１が上方（Ｚ１方向）の元の第１の状態（図５Ａ参照）に復元することを防止できる。すなわち、係合部６２が左右の中間凹部８，８に係合する状態が維持されるため、第１のカードＣ１を収納空間３０内に安定的に保持することが可能となる。
【０１０３】
位置決め機構６０の弾性部６１は、第１のカードＣ１の裏面１ｂを上方に付勢し続けている。ロック姿勢にある蓋体５０を図示下方に軽く押した状態で、後方（Ｙ２方向）へスライドさせると、フック部５６ａ，５６ａがロック凸部３７，３７から外れる。すると、位置決め機構６０の弾性部６１の付勢力によって第１のカードＣ１は蓋体５０とともに回動させられるため、カードコネクタ２０を図１および図２に示すような開放姿勢に設定することができる。このとき、第１のカードＣ１も図示上方（Ｚ１方向）に押し上げられるため、第１のカードＣ１を収納空間３０から容易に取り出すことが可能となる。
【０１０４】
なお、位置決め機構６０は、弾性部６１が図８（Ａ）に示すものとは逆方向（下方向）に凸（逆凸型アーチ形状）を形成するように反転するタイプであってもよい。この場合には、第１のカードＣ１を装填するだけで、裏面１ｂが弾性部６１の頂点を下方に押圧して弾性部６１が反転し、保持部６２が中間凹部８，８を係合する。すなわち、蓋体５０を閉鎖姿勢に回動させなくとも、第１のカードＣ１を収納空間３０内に位置決めすることが可能となる。
【０１０５】
図２ないし図４に示すように、筐体本体２１の収納空間３０内に第１のカードＣ１が正常な向きで装着されていると、第１のカードＣ１の両側部に形成されている識別溝６，６が、筐体本体２１の右側板２５と左側板２４の内側で上向きに配置される。ただし、第１のカードＣ１は、識別溝６の長さ寸法Ｌ１が短く、識別部の段差部である傾斜部６ｂが、検知機構４０を構成している可動検知部材４１よりも前方（Ｙ１側）に位置している。
【０１０６】
そのために、図３に示す位置では、蓋体５０が閉鎖姿勢まで回動すると、蓋体５０に設けられている検知板ばね５８の先部の識別摺動部５８ｂが第１のカードＣ１の表面１ａに当たり、検知板ばね５８が上向きに変形させられる。検知板ばね５８は、上向きに曲げ変形している状態が第２の姿勢である。
【０１０７】
図１０Ａに示すように、閉鎖姿勢の蓋体５０をそのまま前方へスライドさせて、ロック姿勢に設定すると、識別摺動部５８ｂが第１のカードＣ１の表面１ａを前方へ摺動し、検知板ばね５８は上向きに変形したまま前方へ移動する。そのため、蓋体５０を閉鎖姿勢へ回動させたときとロック姿勢へスライドさせたときの双方において、検知板ばね５８の先端の押圧作用部５８ｃは、可動検知部材４１に当たることはない。
【０１０８】
よって、第１のカードＣ１が装着されている状態で、蓋体５０を閉鎖姿勢からロック姿勢に移行するまでの間、図１０Ａに示すように、可動検知部材４１は、弾性可動接点４２ｂと弾性可動接点４２ｃとで持ち上げられ、弾性可動接点４２ｃが固定接点４４から外れて、固定接点４３と固定接点４４とが非導通状態である。
【０１０９】
電子機器の回路基板には、カードコネクタ２０と共にＣＰＵを主体とした制御部が実装されている。この制御部では、次のようにして第１のカードＣ１が正常に装着されたことを認識する。
【０１１０】
筐体本体２１の収納空間３０内へ第１のカードＣ１が正常な向きで装着されて、蓋体５０が図４に示すロック姿勢になると、第１のカードＣ１の裏面１ｂに設けられた個々の外部接続部５が、さらに大きな力で弾圧されるため、図２に示す収納空間３０の底部に設けられた個々の接続端子３１にそれぞれ確実に導通接続させられる。この時点で、制御部では、カードが収納空間３０内に正常な姿勢で装着されていることを認識する。例えば、この種のカードでは、複数の外部接続部５のいずれかが内部回路において互いに短絡しているのが一般的である。よって、制御部では、所定の接続端子３１どうしが互いに短絡したことを検知することで、カードが正常に装着されていると判断できる。
【０１１１】
カードが正常に装着されたと判断したときに、検知機構４０に設けられた固定接点４３と固定接点４４とが短絡したか否かを確認し、短絡していないときに、装着されているのが第１のカードＣ１であると判断する。
【０１１２】
図４および図１０Ａに示すように、第１のカードＣ１が装着されて蓋体５０がロック姿勢に移動したときには、蓋体５０に設けられた検知板ばね５８の識別摺動部５８ｂによって第１のカードＣ１の表面１ａが収納空間３０の底部に向けて押し付けられている。よって、これによっても第１のカードＣ１の裏面１ｂに設けられた外部接続部５と筐体本体２１に設けられた接続端子３１との接続が確実になり、外部振動などが作用しても導通状態を常に維持できる。
【０１１３】
なお、このカードコネクタ２０の収納空間３０にカードが装着されていないときには、蓋体５０がロック姿勢にスライドしても、検知板ばね５８に外力が作用せず、弾性腕部５８ａが天井板５１と同一面上に位置している。このように、検知板ばね５８は、上方へ変形していないときが第１の姿勢である。このとき、検知板ばね５８の先部の押圧作用部５８ｃが可動検知部材４１の押圧面４５ｂの上に乗り上がる。図９に示す弾性可動接点４２ｂ，４２ｃが可動検知部材４１を押し上げようとする力よりも、検知板ばね５８の押圧作用部５８ｃが押圧面４５ｂを押し下げようとする力の方が大きいため、蓋体５０がスライドしてロック姿勢になったときに、可動検知部材４１が押し下げられる。図１０Ａにも示すように、可動検知部材４１が押し下げられると、弾性可動接点４２ｂが固定接点４３に接触し、弾性可動接点４２ｃが固定接点４４に接触して、トーションばね４２によって固定接点４３と固定接点４４とが導通される。
【０１１４】
前記検知機構４０では、カードが装着されていないときは、常に固定接点４３と固定接点４４とが導通状態で、第１のカードＣ１が正常な姿勢で装着され、蓋体５０がロック姿勢になると、図１０Ａに示すように固定接点４３と固定接点４４とが非導通状態となる。このように、カードが装着されていないときに固定接点を導通状態にしておくと、第１のカードＣ１が装着されたことを誤認識する確率を低くできる。例えば、逆の場合であって、カードが装着されてないときに固定接点４３と固定接点４４とが非導通状態であり、第１のカードＣ１が正常に装着されたときに固定接点４３と固定接点４４とが導通状態になる構造であると、カードが装着されていないときに、金属片などが固定接点４３と固定接点４４との間に介在したときに、第１のカードＣ１が装着されていないのにもかかわらず、装着状態であると誤認識するおそれがある。
【０１１５】
次に、第２のカードＣ２の装着手順は、第１のカードＣ１の装着手順と同じである。
ただし、図１９に示すように、第２のカードＣ２に形成されている識別溝１６の長さ寸法Ｌ１１は、図１６に示す第１のカードＣ１の識別溝６の長さ寸法Ｌ１よりも長い。よって、図３に点線で示すように、第２のカードＣ２が筐体本体２１の収納空間３０内へ正常な姿勢で装着されたときに、識別溝１６の後端部に位置する識別部として機能する傾斜部１６ｂが、検知機構４０よりも後方（Ｙ２方向）に位置している。そのため、図４に示すように、蓋体５０を閉鎖姿勢に回動させると、蓋体５０に設けられている検知板ばね５８の識別摺動部５８ｂが、識別溝１６の内部に入り込むため、検知板ばね５８は変形しない。
【０１１６】
このとき、検知板ばね５８は第１の姿勢であり、弾性腕部５８ａは天井板５１と同一面上に位置している。
【０１１７】
蓋体５０が閉鎖姿勢に回動すると、検知板ばね５８の先端部の押圧作用部５８ｃが可動検知部材４１の逃げ面４５ａに対向する。ただし、逃げ面４５ａは押圧面４５ｂよりも一段低い位置にあるため、第１の姿勢の検知板ばね５８に設けられた押圧作用部５８ｃが逃げ面４５ａに対向しても、可動検知部材４１が下向きに押し下げられることはなく、あるいは押し下げられたとしてもその下降距離はわずかである。よって、弾性可動接点４２ｃが固定接点４４から離れたままであり、固定接点４３と固定接点４４は非導通状態である。
【０１１８】
図３に示す閉鎖姿勢の蓋体５０を前方へスライドさせて、図４に示すようにロック姿勢に移行すると、検知板ばね５８の先部の識別摺動部５８ｂは、識別溝１６内を移動する。そして、図１０Ｂに示すように、検知板ばね５８の先端部の押圧作用部５８ｃが可動検知部材４１の上面の押圧面４５ｂに乗り上がり、押圧作用部５８ｃによって可動検知部材４１が押し下げられる。このとき、弾性可動接点４２ｃが固定接点４４に接触し、固定接点４３と固定接点４４がトーションばね４２を介して導通される。
【０１１９】
前記制御部では、カードの外部接続部５と図２に示す接続端子３１とが接続されていることを検知したときに、固定接点４３と固定接点４４との導通状態を確認し、導通していたら、装着されたのが第２のカードＣ２であると判断する。
【０１２０】
以上のように、制御部は、接続端子３１の状態と、固定接点４３と固定接点４４の導通状態を監視することで、第１のカードＣ１が装填されたか第２のカードＣ２が装填されたかを判断する。そして、制御部では第１のカードＣ１と第２のカードＣ２のそれぞれの仕様に適した制御動作を行う。例えば、第１のカードＣ１と第２のカードＣ２とで駆動電圧が相違するときには、各カードに異なる電圧を供給する。また、第１のカードＣ１と第２のカードＣ２とでメモリ容量が相違するときには、それぞれのカードのメモリ残量の情報を制御部に取り込んで、その後の記録データ量の調整が行なわれる。
【０１２１】
（第２の実施の形態）
図１６は、第２の実施の形態としてのカードコネクタの開放状態を示す斜視図である。
【０１２２】
第２の実施の形態に示すカードコネクタの基本的な構成は、上記第１の実施の形態のカードコネクタ２０とほぼ同じである。このため、以下においては第１の実施の形態と異なる点を中心に説明する。
【０１２３】
図１２に第２の実施の形態として示すカードコネクタ２０Ｂが、第１の実施の形態のカードコネクタ２０Ａと異なる点は、位置決め機構の構成にある。
【０１２４】
すなわち、カードコネクタ２０Ｂでは、筐体本体２１を構成する左側板２４と右側板２５のそれぞれに欠損部２４ｆ，２５ｆが形成されており、この欠損部２４ｆ，２５ｆ内に位置決め機構８０，８０がそれぞれ設けられている。
【０１２５】
位置決め機構８０，８０は、弾性腕（弾性部）８１，８１と、その先端に筐体本体２１の収納空間３０に向けて山折りに形成された係止部８２，８２とを有して構成されている。
【０１２６】
弾性腕８１，８１と係止部８２，８２とは、金属製の板ばねにより一体的に形成されている。弾性腕８１，８１は、欠損部２４ｆ，２５ｆを形成する一方の対向面２４ｆ１，２５ｆ１にインサート成形により埋設され、それぞれ片持ち状態で支持されている。このため、位置決め機構８０，８０は弾性腕８１，８１のＹ２側の基端を支点として、Ｙ１側の先端である係止部８２，８２が幅方向（Ｘ１およびＸ２方向）に弾性変形可能である。
【０１２７】
係止部８２，８２の構成は、上記第１の実施の形態に示す係合部６２と同様であり、収納空間３０側に突出する係止部８２を有する。係止部８２の上部には上斜面８２ａが、下部には下斜面８２ｂがそれぞれ一体に形成されている（図１５参照）。
【０１２８】
図１３に示すように、カード（第１のカードＣ１または第２のカードＣ２）が収納空間３０内に装填されていない初期状態においては、位置決め機構８０，８０の弾性腕８１，８１はＹ方向に平行な第１の状態にある。第１の状態では、幅（Ｘ）方向において対向する左右の係止部８２と係止部８２との対向寸法ＬＬ３は、第１および第２のカードＣ１，Ｃ２の幅寸法Ｗ０よりもわずかに狭い寸法に設定されている。
【０１２９】
そして、図１２および図１４に示すように、第１のカードＣ１（第２のカードＣ２でも同様）が正常な姿勢でカードコネクタ２０Ｂに装着されると、第１のカードＣ１の裏面１ｂの左右の両縁部が、係止部８２，８２の上斜面８２ａ，８２ａに当接する。このとき、弾性腕８１，８１は基端を支点として、先端側の係止部８２，８２の対向距離が互いに離れる外方向にそれぞれ押し開かれて対向寸法ＬＬ３が広がる（第２の状態）。
【０１３０】
さらに第１のカードＣ１をカードコネクタ２０Ｂに挿入すると、係止部８２，８２が裏面１ｂと内底端８ｄ，８ｄとの間を板厚方向に乗り越える。そして、図１５に示すように、先端側が押し開かれて第２の状態にあった弾性腕８１，８１が元の平行の第１の状態（対向寸法ＬＬ３の状態）に復元すると、係止部８２，８２の下斜面８２ｂ，８２ｂが中間凹部８，８を係合する。これにより、係止部８２，８２が中間凹部８，８を保持するため、蓋体５０が開放姿勢にある場合であっても第１のカードＣ１をカードコネクタ２０Ｂ内の適切な位置に安定的に位置決めすることができる。
【０１３１】
なお、係止部８２，８２が中間凹部８，８を係合するときに、第１のカードＣ１の板厚方向、幅（Ｘ）方向および前後（Ｙ）方向への移動を制限するようにしてもよい。この場合には、第１のカードＣ１が筐体本体２１から容易に離脱することがなくなり、第１のカードＣ１の抜け止め防止を図ることができるようになる。
【０１３２】
そして、上記第１の実施の形態同様に、蓋体５０を回動させて閉鎖状態とし、さらに閉鎖姿勢にある蓋体５０を前方（Ｙ１方向）へスライドさせると、蓋体５０に設けられたフック部５６ａ，５６ａが筐体本体２１に両側部に設けられたロック凸部３７，３７の下側に入り込んで、蓋体５０が開放しないようにロックされる。これにより、蓋体５０の後方（Ｙ２方向）への移動が制限される。
【０１３３】
その後の動作は、上記第１の実施の形態と同様であり、例えば第１のカードＣ１または第２のカードＣ２が正常に装着されたか否かの判定が行われる。
【図面の簡単な説明】
【０１３４】
【図１】本発明の第１の実施の形態としてのカードコネクタを示す正面図。
【図２】カードコネクタにカードを装着する前の開放姿勢を示す斜視図。
【図３】カードコネクタの閉鎖姿勢を示す斜視図。
【図４】カードコネクタのロック姿勢に示す斜視図。
【図５Ａ】カードコネクタを表側から見た場合の断面斜視図であり、カード装着前の開放姿勢時における位置決め機構の動作を示す斜視図。
【図５Ｂ】カードコネクタを表側から見た場合の断面斜視図であり、カード装着後の閉鎖姿勢時または開放姿勢における位置決め機構の動作を示す斜視図。
【図６Ａ】カードコネクタを裏側から見た場合の断面斜視図であり、カード装着前の開放姿勢時における位置決め機構の動作を示す斜視図。
【図６Ｂ】カードコネクタを裏側から見た場合の断面斜視図であり、カード装着後の閉鎖姿勢時または開放姿勢における位置決め機構の動作を示す斜視図。
【図７】蓋体およびカードも図示した場合におけるカードコネクタを表側から見た断面斜視図。
【図８】位置決め機構を示す斜視図であり、（Ａ）は変形前の第１の状態、（Ｂ）は変形後の第２の状態。
【図９】検知機構の構造を示す部分斜視図。
【図１０Ａ】第１のカードが装着されたときの検知機構の動作を示す右側面図。
【図１０Ｂ】第２のカードが装着されたときの検知機構の動作を示す右側面図。
【図１１】（Ａ）（Ｂ）は、蓋体が閉鎖姿勢からロック姿勢へスライドするときのロック板ばねの動作を示す左側面図。
【図１２】本発明の第２の実施の形態としてのカードコネクタを示す斜視図。
【図１３】第２の実施の形態に示すカードコネクタの平面図。
【図１４】カードを装着した直後の状態を示すカードコネクタの平面図。
【図１５】カード装着後の図１３のＸＶ−ＸＶ線における断面図であるとともに閉鎖姿勢時または開放姿勢における位置決め機構の動作を示すカードコネクタの部分断面図。
【図１６】第１のカードの平面図。
【図１７】第１のカードの左側面図。
【図１８】第１のカードを下から見た斜視図。
【図１９】第２のカードの平面図。
【符号の説明】
【０１３５】
Ｃ１  第１のカード
Ｃ２  第２のカード
１，１１  ケース
１ａ  表面
１ｂ  裏面
１ｃ  前端部
１ｄ  後端部
１ｅ  右側部
１ｆ  左側部
５  外部接続部
６，１６  識別溝
６ｂ，１６ｂ  傾斜部（識別部、段差部）
７，１７  薄肉部
８  中間凹部
２０，２０Ａ，２０Ｂ  カードコネクタ
２１  筐体本体
２２  前側板
２３  開放部
２４  左側板
２５  右側板
２５ａ  第１の掛止凹部
２５ｃ  第２の掛止凹部
２６  底板
３０  収納空間
３１  接続端子
３６  機構凹部
４０  検知機構
４１  可動検知部材
４２  トーションばね
４２ｂ，４２ｃ  弾性可動接点
４３，４４  固定接点
５０  蓋体
５４ａ  支点軸
５７  ロック板ばね
５８  検知板ばね
５８ａ  弾性腕部
５８ｂ  識別摺動部
５８ｃ  押圧作用部
６０  位置決め機構
６１  弾性部
６２  係合部
６２ａ  上斜面
６２ｂ  下斜面
６３，６３  第１の案内部
６４，６４  第２の案内部
８０  位置決め機構
８１  弾性腕（弾性部）
８２  係止部
８２ａ  上斜面
８２ｂ  下斜面
【図１】
2009170247.tif 000003
【図２】
2009170247.tif 000004
【図３】
2009170247.tif 000005
【図４】
2009170247.tif 000006
【図５Ａ】
2009170247.tif 000007
【図５Ｂ】
2009170247.tif 000008
【図６Ａ】
2009170247.tif 000009
【図６Ｂ】
2009170247.tif 000010
【図７】
2009170247.tif 000011
【図８】
2009170247.tif 000012
【図９】
2009170247.tif 000013
【図１０】
2009170247.tif 000014
【図１１】
2009170247.tif 000015
【図１２】
2009170247.tif 000016
【図１３】
2009170247.tif 000017
【図１４】
2009170247.tif 000018
【図１５】
2009170247.tif 000019
【図１６】
2009170247.tif 000020
【図１７】
2009170247.tif 000021
【図１８】
2009170247.tif 000022
【図１９】
2009170247.tif 000023
【手続補正書】
【提出日】平成20年1月29日(2008.1.29)
【手続補正１】
【補正対象書類名】明細書
【補正対象項目名】０１３４
【補正方法】変更
【補正の内容】
【０１３４】
【図１】本発明の第１の実施の形態としてのカードコネクタを示す正面図。
【図２】カードコネクタにカードを装着する前の開放姿勢を示す斜視図。
【図３】カードコネクタの閉鎖姿勢を示す斜視図。
【図４】カードコネクタのロック姿勢に示す斜視図。
【図５Ａ】カードコネクタを表側から見た場合の断面斜視図であり、カード装着前の開放姿勢時における位置決め機構の動作を示す斜視図。
【図５Ｂ】カードコネクタを表側から見た場合の断面斜視図であり、カード装着後の閉鎖姿勢時または開放姿勢における位置決め機構の動作を示す斜視図。
【図６Ａ】カードコネクタを裏側から見た場合の断面斜視図であり、カード装着前の開放姿勢時における位置決め機構の動作を示す斜視図。
【図６Ｂ】カードコネクタを裏側から見た場合の断面斜視図であり、カード装着後の閉鎖姿勢時または開放姿勢における位置決め機構の動作を示す斜視図。
【図７】蓋体およびカードも図示した場合におけるカードコネクタを表側から見た断面斜視図。
【図８】位置決め機構を示す斜視図であり、（Ａ）は変形前の第１の状態、（Ｂ）は変形後の第２の状態。
【図９】検知機構の構造を示す部分斜視図。
【図１０】（Ａ）は第１のカードが装着されたときの検知機構の動作を示す右側面図、（Ｂ）は第２のカードが装着されたときの検知機構の動作を示す右側面図。
【図１１】（Ａ）（Ｂ）は、蓋体が閉鎖姿勢からロック姿勢へスライドするときのロック板ばねの動作を示す左側面図。
【図１２】本発明の第２の実施の形態としてのカードコネクタを示す斜視図。
【図１３】第２の実施の形態に示すカードコネクタの平面図。
【図１４】カードを装着した直後の状態を示すカードコネクタの平面図。
【図１５】カード装着後の図１３のＸＶ−ＸＶ線における断面図であるとともに閉鎖姿勢時または開放姿勢における位置決め機構の動作を示すカードコネクタの部分断面図。
【図１６】第１のカードの平面図。
【図１７】第１のカードの左側面図。
【図１８】第１のカードを下から見た斜視図。
【図１９】第２のカードの平面図。